(57)【要約】【課題】入退室管理装置で、第三者が盗用又は複製した個人カードを悪用することを監視して、警備性を向上する。【解決手段】電気錠付きの扉４Ａ〜４Ｃの近傍に、個人カードを操作する個人識別装置５Ａ〜５Ｃを設置し、扉４Ａ〜４Ｃを通行する人を撮像する監視カメラ６Ａ〜６Ｄを設置する。  通行者が個人識別装置５Ａに個人カードを操作すると、カード情報と操作場所及び操作日時を中央制御装置（図示しない）に通知する。中央制御装置では、通知された情報と、そのときの監視カメラ６Ａ〜６Ｄの映像を記録して表示する。【選択図】      図１
2005076378.tif 000002
【特許請求の範囲】
【請求項１】
出入口の近傍に設置された個人識別装置が操作されると、その操作者の正否を判定して上記出入口の通行を管理する装置において、上記出入口を通行する人を撮像する監視カメラと、上記個人識別装置から送信される上記操作者に関する情報と、上記監視カメラが撮像した情報とを記録する情報記録手段と、上記記録された情報を表示する表示手段とを備えたことを特徴とする入退室管理装置。
【請求項２】
操作者、操作場所又は期間を指定して、情報記録手段に記録された内容を検索して、該当する操作者の文字情報及び映像情報を再生する情報再生手段を設けたことを特徴とする請求項１記載の入退室管理装置。
【請求項３】
特定の操作者を指定して、情報記録手段に記録された内容から、操作された個人識別装置を検索して、その最新の操作場所を判定する最新操作場所判定手段と、上記判定された操作場所に応じて上記操作者を撮像して表示する映像表示手段とを設けたことを特徴とする請求項１記載の入退室管理装置。
【請求項４】
映像表示手段は、操作者の前面が撮像される監視カメラを選択するものとしたことを特徴とする請求項３記載の入退室管理装置。
【発明の詳細な説明】
【技術分野】
【０００１】
この発明は、個人識別装置で操作者の正否を判定して入退室を管理する装置に関するものである。
【背景技術】
【０００２】
従来のアクセスコントロール装置においては、個人情報には、個人ＮＯ．をキーとして、その個人がどの通行パターンとするかを指定するＡＣＮＯ．（アクセスクラス番号）及び備考として個人の名称等が入る。アクセスクラス情報には、ＡＣＮＯ．をキーとして、ＡＧＮＯ．（アクセスグループ番号）とＡＴＩＮＯ．（アクセスタイムインターバル番号）、つまり場所と時間の組み合せのテーブルが複数個あり、また、緊急用のための特殊組み合せテーブルがある（例えば、特許文献１参照）。
【０００３】
【特許文献１】特開平６−１８５２４９号公報（段落００１９〜００２３、図３）
【発明の開示】
【発明が解決しようとする課題】
【０００４】
従来のアクセスコントロール装置では、個人識別装置を操作した通行者の情報、過去に操作された場所の情報、通行者が現在いる場所の情報を文字列によって表示・記録しているため、第三者が盗用又は複製した個人カードで個人識別装置を操作した場合に、本来の所有者が操作した場合との区別ができないという問題点がある。
【０００５】
この発明は上記問題点を解決するためになされたもので、第三者による個人カードの悪用を監視して警備性の向上を図るようにした入退室管理装置を提供することを目的とする。
【課題を解決するための手段】
【０００６】
この発明に係る入退室管理装置は、出入口の近傍に個人識別装置を設置し、上記出入口を通行する人を撮像する監視カメラを設け、個人識別装置から送信される操作者に関する情報と、監視カメラが撮像した映像とを記録し、この記録された情報及び映像を表示するようにしたものである。
【発明の効果】
【０００７】
この発明は、個人識別装置から送信される操作者に関する情報と、監視カメラが撮像した映像とを記録し、これを表示するようにしたので、第三者による個人カード悪用を監視することができ、警備性の向上を図ることができる。
【発明を実施するための最良の形態】
【０００８】
実施の形態１．
図１〜図５は、この発明の一実施の形態を示す図で、図１は建物平面図、図２はブロック線図、図３は操作記録動作フローチャート、図４は照合操作履歴の再生動作フローチャート、図５は所在場所表示動作フローチャートであり、図中同一符号は同一部分を示す。
【０００９】
図１において、建物１には部屋２及び部屋３が設けられており、部屋２と外部との出入口（図では２箇所）には、それぞれ電気錠付きの扉４Ａ〜４Ｃが設けられ、部屋２と部屋３との出入口には、電気錠付きの扉４Ｃが設けられている。電気錠付きの扉４Ａ〜４Ｃの近傍には、それぞれカードリーダ等で構成され個人を識別する入室・退室用個人識別装置５Ａ〜５Ｃが設置されている。また上記扉４Ａ〜４Ｃの近傍には入退室者を撮像する監視カメラ６Ａ〜６Ｃが設置され、部屋２内には室内（特に入室者）を撮像する監視カメラ６Ｄが設置されている。
【００１０】
図２において、コンピューターで構成され、個人識別装置５Ａ〜５Ｃ及び監視カメラ６Ａ〜６Ｄ（６Ｄは図示しない）に接続された中央制御装置７には、表示部７ａ及びデータベース７ｂ，７ｃを有している。そして、データベース７ｂには通行可能カード及びカード所有者の文字情報があらかじめ記録されている。また、データベース７ｃには個人識別装置５Ａ〜５Ｃにカードを操作した通行者・操作場所・操作日時及び映像情報が記録される。
【００１１】
すなわち、カード所有者が個人カードを個人識別装置５Ａに操作すると、個人識別装置５Ａは操作されたカードの「正」「否」を判定する。そして、「正」と判定すると、扉４Ａの電気錠を解錠し、操作者は部屋２へ入室することができる。このとき、監視カメラ６Ａは操作者の動作を撮像する。退出時も同様であり、他の個人識別装置５Ｂ，５Ｃ及び監視カメラ６Ｂ〜６Ｄについても同様である。
【００１２】
次に、この実施の形態の動作を図３〜図５を参照して説明する。
（１）操作記録動作（図３）
この動作は、個人識別装置５Ａ〜５Ｃに個人カードが操作されたときの中央制御装置７での記録動作である。    
ステップＳ１でオペレータの操作によって、通行可能カードの番号、カード所有者の氏名などの文字情報をデータベース７ｂに設定（格納）する。ステップＳ２で個人識別装置５Ａ〜５Ｃで個人カードが操作されるのを待ち、操作されるとステップＳ３へ進む。
【００１３】
ステップＳ３で個人識別装置５Ａ〜５Ｃは上記操作されたカード情報と操作場所及び操作日時を中央制御装置７へ通知する。ステップＳ４で中央制御装置７は通知された情報と、ステップＳ１で設定された情報及び監視カメラ６Ａ〜６Ｃで撮像されたそのときの映像情報を、通行履歴としてデータベース７ｃに記録する。ここで、ステップＳ１〜Ｓ４は情報記録手段及び表示手段を構成している。
【００１４】
このようにして、個人識別装置５Ａ〜５Ｃを操作した通行者の情報、場所及び日時を、そのときの映像とともに記録するようにしたため、その場所の通行履歴として保存することが可能となり、第三者による個人カードの悪用を監視することが可能となる。
【００１５】
（２）照合操作履歴再生動作（図４）
この動作は、中央制御装置７で、個人識別装置５Ａ〜５Ｃの照合操作履歴を再生する動作である。
ステップＳ１１でオペレータの操作によって、中央制御装置７で表示したいカード所有者や期間を指定して、過去の履歴の再生を実施する。ステップＳ１２でデータベース７ｃの中から、上記指定された個人カードと期間を示す文字データ、及び映像情報を検索する。
【００１６】
ステップＳ１３で上記検索の結果、該当するデータがあるかを判定する。該当データがある場合は、ステップＳ１４でデータベース７ｃ内の文字データと映像情報を表示部７ａに表示する。また、該当データがない場合は、ステップＳ１５で該当データがないことを表示部７ａに表示する。ここで、ステップＳ１１〜Ｓ１５は情報再生手段を構成している。
【００１７】
このようにして、文字情報と映像情報を再生するようにしたため、文字情報と映像情報とを比較することが可能となり、第三者による個人カードの悪用を監視することが可能となる。
【００１８】
（３）所在場所表示動作（図５）
この動作は、中央制御装置７で、特定の操作者の現在の所在場所を表示する動作である。ステップＳ２１でオペレータの操作によって、中央制御装置７でデータベース７ｂの中からカード所有者を指定して、現在の所在場所の表示を要求する。ステップＳ２２でデータベース７ｃの中から、上記指定されたカード所有者の最新の記録を検索する。
【００１９】
ステップＳ２３で個人識別装置５Ａ〜５Ｃの操作記録から最新の操作場所が、次の(a)〜(d)のいずれであるかによって、それぞれステップＳ２４〜Ｓ２７のように表示する。これらは、該当する操作者の前面が撮像されるようにするためである。
(a)個人識別装置５Ａ又は５Ｂの入側又は個人識別装置５Ｃの出側の場合は、ステップＳ２４で監視カメラ６Ｄの映像。
(b)個人識別装置５Ａの出側の場合は、ステップＳ２５で監視カメラ６Ａの映像。
【００２０】
(c)個人識別装置５Ｂの出側の場合は、ステップＳ２６で監視カメラ６Ｂの映像。
(d)個人識別装置５Ｃの入側の場合は、ステップＳ２７で監視カメラ６Ｃの映像。  
そして、ステップＳ２８でオペレータが指示終了の操作をしたかを判断する。上記操作をしていないときはステップＳ２３へ戻り、操作をしたときは表示を終了する。ここで、ステップＳ２１〜Ｓ２３は最新操作場所判定手段を、ステップＳ２４〜Ｓ２７は映像表示手段を構成している。
【００２１】
このようにして、特定の操作者を指定して、その最新の操作場所を判定し、この操作者をその前面が撮像される監視カメラを選択して映像を表示するようにしたため、その操作者をリアルタイムに表示することが可能となる。
【００２２】
なお、次のように実施することも可能である。
（１）実施の形態１では、中央制御装置７で通行可能な個人カード、カード所有者の情報及び個人識別装置５Ａ〜５Ｃの照合操作履歴を記録するものとしたが、個人識別装置５Ａ〜５Ｃや監視カメラ６Ａ〜６Ｄにローカルのコントローラを設け、カード情報は個人識別装置５Ａ〜５Ｃ又は上記コントローラに、照合操作履歴は監視カメラ６Ａ〜６Ｄのコントローラに分散記録する。
【００２３】
（２）表示部７ａを中央制御装置７に設けるようにしたが、これを履歴の記録・再生専用の別の制御装置に設ける。
（３）履歴は個人識別装置５Ａ〜５Ｃの操作時に記録・表示するものとしたが、部屋２，３内又は出入口近傍に通行者を検出するセンサを設置し、このセンサが動作すると記録・表示するように構成する。
【図面の簡単な説明】
【００２４】
【図１】この発明の実施の形態１を示す建物平面図。
【図２】この発明の実施の形態１を示すブロック線図。
【図３】この発明の実施の形態１を示す操作記録動作フローチャート。
【図４】この発明の実施の形態１を示す照合操作履歴の再生動作フローチャート。
【図５】この発明の実施の形態１を示す所在場所表示動作フローチャート。
【符号の説明】
【００２５】
１  建物、２，３  部屋、４Ａ〜４Ｃ  電気錠付きの扉、５Ａ〜５Ｃ  個人識別装置、６Ａ〜６Ｄ  監視カメラ、７  中央制御装置、７ａ  表示部、７ｂ，７ｃ  データベース。
Ｓ１〜Ｓ４  情報記録手段及び表示手段、Ｓ１１〜Ｓ１５  情報再生手段、Ｓ２１〜Ｓ２３  最新操作場所判定手段、Ｓ２４〜２７  映像表示手段。
【図１】
2005076378.tif 000003
【図２】
2005076378.tif 000004
【図３】
2005076378.tif 000005
【図４】
2005076378.tif 000006
【図５】
2005076378.tif 000007